(57)【要約】【課題】信頼性の高い施設の評価情報をユーザに提供できる施設検索システムを提供する。【解決手段】移動体端末１とサーバ２とを備え、移動体端末は、施設を目的地として設定する操作部１３と、現在位置を検出する位置検出部１１と、位置検出部で検出された現在位置に基づき操作部から設定された目的地に到着したかどうかを判定する到着判定部２１と、到着判定部によって目的地に到着したことが判定された場合に該目的地として設定された施設に付された施設ＩＤを含む評価情報を作成する評価情報作成部２２と、評価情報作成部で作成された評価情報をサーバに送信する第１通信部１６とを備え、サーバは、移動体端末から施設ＩＤを含む評価情報を受信する第２通信部３３と、第２通信部からの評価情報を処理して施設情報を作成する評価情報処理部４１と、評価情報処理部により作成された施設情報を記憶する施設データベース３２とを備えている。【選択図】図１
2007334505.tif 000002
【特許請求の範囲】
【請求項１】
施設を目的地として設定する操作部と、
現在位置を検出する位置検出部と、
前記位置検出部で検出された現在位置に基づき前記操作部から設定された目的地に到着したかどうかを判定する到着判定部と、
前記到着判定部によって目的地に到着したことが判定された場合に該目的地として設定された施設に付された施設ＩＤを含む評価情報を作成する評価情報作成部と、
前記評価情報作成部で作成された評価情報を外部に送信する通信部
とを備えた移動体端末。
【請求項２】
現在の年、月、日、曜日および時刻を含む時刻データを取得する時刻取得部を備え、
評価情報作成部で作成される評価情報は、さらに、前記時刻取得部で取得された時刻データによって示される目的地への到着時刻、操作部から入力された施設の評価値および施設に関するコメントの少なくとも１つを含む
ことを特徴とする請求項１記載の移動体端末。
【請求項３】
施設情報の取得を要求する施設情報要求を作成し、通信部を介して外部に送信する施設情報要求作成部と、
前記通信部から送信された施設情報要求に応答して、外部から前記通信部を介して受信された、施設の評価を表すランキング情報を含む施設情報を処理することにより施設リストを作成する施設情報処理部と、
前記施設情報処理部で作成された施設リストを表示する表示部
とを備えたことを特徴とする請求項１記載の移動体端末。
【請求項４】
ランキング情報は、目的地として設定された施設へ到着した移動体端末の到着数および施設の評価値の平均値の少なくとも１つを含む
ことを特徴とする請求項３記載の移動体端末。
【請求項５】
施設情報に含まれるランキング情報は、目的地として設定された施設へ到着した移動体端末の到着数を含み、
施設情報に含まれる付加情報は、目的地への到着時刻を含み、
施設情報処理部は、到着時刻に対する到着数の分布を表示部に表示させる
ことを特徴とする請求項３記載の移動体端末。
【請求項６】
外部から施設に付された施設ＩＤを含む評価情報を受信する通信部と、
前記通信部からの評価情報を処理して施設情報を作成する評価情報処理部と、
前記評価情報処理部により作成された施設情報を記憶する施設データベース
とを備えたサーバ。
【請求項７】
外部からの施設情報要求を処理する施設情報要求処理部と、
前記施設情報要求処理部の処理結果に応じて施設データベースから取得した施設情報に基づき前記施設情報要求に対応する施設情報を作成し、通信部を介して外部に送信する施設情報作成部
とを備えたことを特徴とする請求項６記載のサーバ。
【請求項８】
移動体端末とサーバとを備えた施設検索システムであって、
前記移動体端末は、
施設を目的地として設定する操作部と、
現在位置を検出する位置検出部と、
前記位置検出部で検出された現在位置に基づき前記操作部から設定された目的地に到着したかどうかを判定する到着判定部と、
前記到着判定部によって目的地に到着したことが判定された場合に該目的地として設定された施設に付された施設ＩＤを含む評価情報を作成する評価情報作成部と、
前記評価情報作成部で作成された評価情報をサーバに送信する第１通信部
とを備え、
前記サーバは、
移動体端末から施設ＩＤを含む評価情報を受信する第２通信部と、
前記第２通信部からの評価情報を処理して施設情報を作成する評価情報処理部と、
前記評価情報処理部により作成された施設情報を記憶する施設データベース
とを備えた施設検索システム。
【発明の詳細な説明】
【技術分野】
【０００１】
この発明は、施設を検索する施設検索システムならびにこれに用いられる移動体端末およびサーバに関し、特に検索により得られる施設情報の信頼性を向上させる技術に関する。
【背景技術】
【０００２】
従来、施設情報が蓄積された施設データベースを備えたサーバと、このサーバに通信によって接続された複数の移動体端末とから成る施設検索システムが知られている。この施設検索システムでは、サーバは、複数の移動体端末から施設に関する情報を収集して評価することにより人気の度合いによるランク付けを行い、ランキング情報として施設データベースで管理する。一方、複数の移動体端末は、通信によりサーバにアクセスし、このサーバに備えられた施設データベースからランキング情報に基づき施設情報を取得し、所望の順番に並び替えてリスト表示する。
【０００３】
このような施設検索システムの１つとして、例えば、特許文献１は、アクセス数等に基づき選別されたデータを端末の地図上に表示することにより、画面上での表示を明瞭化し、利用者が目的のデータを的確に獲得する時間を短縮できる地図情報表示システムを開示している。この地図情報表示システムにおいては、携帯端末からの表示要求を受けた地図表示サーバは検索分野と地域情報を施設管理サーバに送信し、施設管理サーバは施設データベースの検索分野と地域情報に対応する表示順位表から最もアクセス数の多い施設情報を取得して地図表示サーバに送信し、地図表示サーバは地図情報と施設情報を合わせた表示情報を携帯端末に送信する。携帯端末からの確認ＯＫが入力された場合、施設管理サーバは、施設データベースの施設のアクセス回数をカウントアップし、所定の期間毎に表示順位表の順位を更新する。
【０００４】
【特許文献１】特開２００５−１６５７４９号公報
【発明の開示】
【発明が解決しようとする課題】
【０００５】
上述した従来の施設検索システムにおいては、多数の施設の中から目的の施設を選択するための判断材料としてアクセス数の多い施設情報が端末に提供されるが、端末の所有者は、実際にその施設を利用したか否かに拘わらず施設の評価情報をサーバに送信する。したがって、作為的に特定の施設の評価情報をサーバに送信することも容易に可能であり、評価情報の信頼性が高いとは言えないという問題がある。
【０００６】
この発明は、上述した問題を解消するためになされたものであり、その課題は、信頼性の高い施設の評価情報をユーザに提供できる施設検索システムならびにこれに用いられる移動体端末およびサーバを提供することにある。
【課題を解決するための手段】
【０００７】
この発明に係る施設検索システムは、上記課題を解決するために、移動体端末とサーバとを備え、移動体端末は、施設を目的地として設定する操作部と、現在位置を検出する位置検出部と、位置検出部で検出された現在位置に基づき操作部から設定された目的地に到着したかどうかを判定する到着判定部と、到着判定部によって目的地に到着したことが判定された場合に該目的地として設定された施設に付された施設ＩＤを含む評価情報を作成する評価情報作成部と、評価情報作成部で作成された評価情報をサーバに送信する第１通信部とを備え、サーバは、移動体端末から施設ＩＤを含む評価情報を受信する第２通信部と、第２通信部からの評価情報を処理して施設情報を作成する評価情報処理部と、評価情報処理部により作成された施設情報を記憶する施設データベースとを備えている。
【発明の効果】
【０００８】
この発明に係る施設検索システムによれば、移動体端末は、現在位置に基づき目的地に到着したかどうかを判定し、目的地に到着したことが判定された場合に、施設ＩＤを含む評価情報を作成してサーバに送信し、サーバは、移動体端末から受信された施設ＩＤを含む評価情報を施設データベースに格納するように構成されているので、目的地に到着しない移動体端末からの作為的に特定の施設の評価情報をサーバに送信することが困難になる。その結果、サーバの施設データベースには作為的な情報は施設情報として蓄積されないので、信頼性の高い施設の評価情報をユーザに提供できる。
【発明を実施するための最良の形態】
【０００９】
以下、この発明の実施の形態を、図面を参照しながら詳細に説明する。
実施の形態１．
図１は、この発明の実施の形態１に係る施設検索システムの構成を示すブロック図である。この施設検索システムは、移動体端末１とサーバ２とから構成されている。なお、この発明に係る施設検索システムにおいては、１台のサーバに複数台の移動体端末が接続されるが、説明の煩雑さを避けるために、以下では、１台の移動体端末のみが接続される場合について説明する。
【００１０】
この施設検索システムにおいては、移動体端末１は、施設の評価情報（詳細は後述する）を通信によりサーバ２に提供し、サーバ２は、移動体端末１から送られてきた施設の評価情報を施設情報の一部として施設データベースで管理する。そして、複数の移動体端末は、所望のタイミングでサーバ２と通信することにより、サーバ２の施設データベースを検索して施設情報を取得する。したがって、サーバ２の施設データベースは常に最新の情報を保持することができ、複数の移動体端末は、サーバ２から最新の施設情報を得ることができる。
【００１１】
以下、実施の形態１に係る施設検索システムの詳細を説明する。まず、移動体端末１の構成を説明する。移動体端末１は、例えばカーナビゲーション装置から構成されている。なお、移動体端末１は、携帯電話またはＰＤＡ（Personal Digital Assistant）といった通信機能を有する端末から構成することもできる。移動体端末１は、位置検出部１１、時刻取得部１２、操作部１３、表示部１４、情報記憶部１５、通信部１６および情報処理部１７から構成されている。
【００１２】
位置検出部１１は、例えばＧＰＳ（Global Positioning System）受信機、ジャイロセンサ、速度センサなどから構成されており、自己の現在位置を検出する。この位置検出部１１で検出された現在位置は、現在位置データとして情報処理部１７に送られる。時刻取得部１２は、図示しない時計機構から、現在の年、月、日、曜日および時刻を取得する。この時刻取得部１２で取得された年、月、日、曜日および時刻は、時刻データとして情報処理部１７に送られる。
【００１３】
操作部１３は、例えばリモコン、タッチパネル、操作ボタン、音声認識機能を備えた音声入力装置等から構成されており、ユーザが、例えば目的地の設定や施設の評価値（詳細は後述する）等を入力するために使用される。この操作部１３が操作されることによって発生されたデータは、操作データとして情報処理部１７に送られる。表示部１４は、例えば液晶ディスプレイ装置から構成されており、情報処理部１７から送られてくる表示データにしたがって、地図、目的地までの経路、自己の現在位置を表す自車マーク、アンケート画面（詳細は後述する）およびその他の各種メッセージを表示する。
【００１４】
情報記憶部１５は、例えばＨＤＤ（Hard disk）、不揮発性ＲＡＭ等から構成されており、地図情報、施設情報、その他の種々のデータ、例えば到着情報送信設定、施設評価設定（詳細は後述する）の状態を記憶する。この情報記憶部１５は、情報処理部１７によってアクセスされる。通信部１６は、この発明の第１通信部に対応し、例えば携帯電話から構成されている。この通信部１６は、当該移動体端末１とサーバ２との間の通信を制御する。具体的には、通信部１６は、情報処理部１７から送られてくる評価情報および施設情報要求をサーバ２に送信するとともに、サーバ２から送られてきた施設情報を受信して情報処理部１７に送る。
【００１５】
情報処理部１７は、例えばマイクロコンピュータから構成されており、到着判定部２１、評価情報作成部２２、施設情報要求作成部２３および施設情報処理部２４を備えている。
【００１６】
到着判定部２１は、位置検出部１１から取得した現在位置データによって示される位置が、操作部１３によって設定された目的地から半径１００ｍ以内であって、且つ、時刻取得部１２から取得した時刻データによって５分以上経過したことが示されていても、その位置が変化しない場合に「到着」と判定する。なお、上記１００ｍおよび５分という値は一例であり、これらの値に限定されずに任意の値を用いることができる。この到着判定部２１による判定結果は、評価情報作成部２２に通知される。
【００１７】
評価情報作成部２２は、到着判定部２１から到着である旨が送られてきた場合に、評価情報を作成する。図２は、評価情報作成部２２で作成される評価情報の構成を示す。評価情報は、施設にユニークに付された施設ＩＤ、ランキング情報および付加情報から構成されている。ランキング情報は、ユーザが施設を評価した「評価値」から構成されている。付加情報は「到着時刻」と「コメント」から構成されている。この評価情報作成部２２で作成された評価情報は、通信部１６を介してサーバ２に送信される。
【００１８】
施設情報要求作成部２３は、施設情報の取得を要求する施設情報要求を作成する。この施設情報要求作成部２３で作成された施設情報要求は、通信部１６を介してサーバ２に送られる。施設情報処理部２４は、施設情報要求に応答してサーバ２から送られてくるデータを処理し、表示部１４に表示する。
【００１９】
次に、サーバ２の構成を説明する。サーバ２は、所定の拠点に設置され、複数の移動体端末と無線で通信する。このサーバ２は、時刻取得部３１、施設データベース３２、通信部３３および情報処理部３４から構成されている。
【００２０】
時刻取得部３１は、図示しない時計機構から、現在の年、月、日、曜日および時刻を取得する。この時刻取得部１２で取得された年、月、日、曜日および時刻は、時刻データとして情報処理部３４に送られる。施設データベース３２は、例えばＨＤＤに構築されており、施設情報を格納する。この施設データベース３２に格納される施設情報の詳細は後述する。この施設データベース３２は、情報処理部３４によってアクセスされる。
【００２１】
通信部３３は、この発明の第２通信部に対応し、無線通信装置から構成されている。この通信部３３は、当該サーバ２と移動体端末１との間の通信を制御する。具体的には、通信部３３は、情報処理部３４から送られてくる施設情報を移動体端末１に送信するとともに、移動体端末１から送られてきた評価情報および施設情報要求を受信して情報処理部３４に送る。
【００２２】
情報処理部３４は、例えばサーバコンピュータから構成されており、評価情報処理部４１、施設情報要求処理部４２および施設情報作成部４３を備えている。
【００２３】
評価情報処理部４１は、移動体端末１から通信部３３を介して受信した評価情報を処理し、施設データベース３２に格納する。図３は、施設データベース３２に格納される施設情報の構成を示す図である。施設情報は、施設ＩＤ、位置情報、地域ＩＤ、ランキング情報および付加情報から構成されている。施設ＩＤは、施設にユニークに付されたＩＤである。位置情報は、施設ＩＤによって示される施設の位置（緯度および経度）を表す情報から構成されている。地域ＩＤは、施設ＩＤによって示される施設が属する地域に付されたユニークなＩＤである。施設ジャンルＩＤは、施設ＩＤによって示される施設が属するジャンルを示すＩＤである。
【００２４】
ランキング情報は、到着数、評価値平均、有効回答数、評価値総和から構成されている。到着数は、移動体端末１から送られてきた施設ＩＤ毎の評価情報の数である。評価値平均は、移動体端末１から送られてきた評価情報に含まれる評価値の平均値である。有効回答数は、移動体端末１から送られてきた評価情報のうち、評価値が含まれている評価情報の数である。評価値総和は、有効回答の評価情報に含まれる評価値の総和である。
【００２５】
付加情報は、到着時刻情報、受信時刻情報およびコメントから構成されている。到着時刻情報は、移動体端末１から送られてきた評価情報に含まれる付加情報のうちの到着時刻を表す情報である。受信時刻情報は、サーバ２が評価情報を受信した年、月、日、曜日および時刻を表す情報であり、評価情報の受信時に時刻取得部３１から取得される。コメントは、移動体端末１から送られてきた評価情報に含まれる付加情報のうちのコメントを表す情報である。
【００２６】
なお、施設データベース３２は、上述したすべてのデータを保持する必要はないが、移動体端末１で施設検索を行うことを考慮し、少なくとも施設ＩＤ、位置情報および施設ジャンルＩＤは保持するものとする。
【００２７】
施設情報要求処理部４２は、移動体端末１から通信部３３を介して施設情報要求を受信し、施設情報の作成を施設情報作成部４３に指示する。施設情報作成部４３は、施設情報要求処理部４２からの指示に応答して、施設データベース３２を参照し、移動体端末１に送信する施設情報を作成する。この施設情報作成部４３で３作成された施設情報は、通信部３３を介して移動体端末１に送信される。
【００２８】
次に、上記のように構成される、この発明の実施の形態１に係る施設検索システムの動作を説明する。この施設検索システムの動作は、サーバ２が施設に関する情報を移動体端末１から収集する動作と、サーバ２が収集した情報を移動体端末１が使用する動作に大きく分けられる。
【００２９】
まず、サーバ２が施設に関する情報を移動体端末１から収集する動作について説明する。この動作は、さらに、移動体端末１がサーバ２に施設に関する情報を提供する動作と、その情報をサーバ２で処理し、施設データベース３２で管理する動作とに分けられる。
【００３０】
まず、移動体端末１がサーバ２に施設に関する情報を提供する動作を、図４に示す評価情報送信処理のフローチャートを参照しながら説明する。
【００３１】
評価情報送信処理においては、まず、施設が目的地として設定されたかどうかが調べられる（ステップＳＴ１１）。すなわち、移動体端末１の情報処理部１７は、操作部１３から目的地が設定されたかどうかを調べる。このステップＳＴ１１において、施設が目的地として設定されていないことが判断されると、このステップＳＴ１１を繰り返し実行しながら、施設が目的地として設定されるまで待機する。
【００３２】
このステップＳＴ１１の繰り返し実行による待機状態において、施設が目的地として設定されたことが判断されると、次いで、施設に到着したかどうかが調べられる（ステップＳＴ１２）。目的地が設定されると、次いで、経路探索が行われ、その後、経路探索で探索された最適経路を目的地に向けて案内する経路誘導が行われる。この経路誘導の継続中に、施設に到着したかどうかが調べられる。具体的には、到着判定部２１は、位置検出部１１から取得した現在位置データによって示される位置が、操作部１３によって設定された目的地から半径１００ｍ以内であって、且つ、その位置が変化しない状態が、時刻取得部１２から取得した時刻データによって５分以上経過したことが示されたかどうかを調べ、これらの条件が満足された場合に、目的地に到着した旨を評価情報作成部２２に通知する。
【００３３】
ステップＳＴ１２において、目的地に到着していないことが判断されると、このステップＳＴ１２を繰り返し実行しながら、目的地に到着するまで待機する。すなわち、評価情報作成部２２は、到着判定部２１から目的地に到着した旨の通知を受け取るまで待機する。このステップＳＴ１２の繰り返し実行による待機状態において、目的地に到着したことが判断されると、次いで、到着情報送信設定がオンになっているかどうかが調べられる（ステップＳＴ１３）。到着情報送信設定は、ユーザが事前に操作部１３を操作して設定する項目であり、設定の結果は情報記憶部１５に保持される。到着情報送信設定がオンにされることにより、目的地に到着した時に、サーバ２に評価情報が送信される。このステップＳＴ１３においては、具体的には、評価情報作成部２２は、情報記憶部１５を参照して到着情報送信設定がオンにされているかどうかを調べる。
【００３４】
ステップＳＴ１３において、到着情報送信設定がオンにされていないことが判断されると、評価情報送信処理を終了する。一方、ステップＳＴ１３において、到着情報送信設定がオンにされていることが判断されると、次いで、評価情報の作成が行われる（ステップＳＴ１４）。すなわち、評価情報作成部２２は、評価情報として、図２に示すように、施設ＩＤを設定するとともに、付加情報に到着時刻を設定する。
【００３５】
次いで、施設評価設定がオンになっているかどうかが調べられる（ステップＳＴ１５）。施設評価設定は、ユーザが事前に操作部１３を操作して設定する項目であり、設定の結果は情報記憶部１５に保持される。施設評価設定がオンにされることにより、評価情報にランキング情報として評価値が設定される。このステップＳＴ１５においては、具体的には、評価情報作成部２２は、情報記憶部１５を参照して施設評価設定がオンにされているかどうかを調べる。
【００３６】
このステップＳＴ１５において、施設評価設定がオンにされていないことが判断されると、シーケンスはステップＳＴ２０に進み、評価情報がサーバ２に送信される。すなわち、評価情報作成部２２は、ステップＳＴ１４で作成した評価情報を、通信部１６を介してサーバ２に送信する。したがって、この場合は、評価情報として、施設ＩＤと付加情報の到着時刻のみがサーバ２に送信される。
【００３７】
一方、ステップＳＴ１５において、施設評価設定がオンにされていることが判断されると、次いで、この移動体端末１が搭載されている車両の電源がオフされたかどうかが調べられる（ステップＳＴ１６）。すなわち、評価情報作成部２２は、図示しないイグニッションキーのポジションセンサが、該イグニッションキーが電源オフの位置にセットされたことを検知したかどうかを調べる。
【００３８】
このステップＳＴ１６において、電源オフであることが判断されると、次いで、電源がオンであるかどうかが調べられる（ステップＳＴ１７）。すなわち、評価情報作成部２２は、イグニッションキーのポジションセンサが、該イグニッションキーが電源オンの位置にセットされたことを検知したかどうかを調べる。このステップＳＴ１７において、電源がオンでないことが判断されると、このステップＳＴ１７を繰り返し実行しながら電源がオンにされるまで待機する。このステップＳＴ１７の繰り返し実行による待機状態において、電源がオンにされたことが判断されると、シーケンスはステップＳＴ１９に進む。以上の処理、つまり電源がオフされた後に電源がオンされたことにより、評価情報作成部２２は、ユーザが目的地として設定した施設を利用したと判断する。
【００３９】
上記ステップＳＴ１６において、電源オフでない（電源オンである）ことが判断されると、次いで、一定時間が経過したかどうかが調べられる（ステップＳＴ１８）。すなわち、評価情報作成部２２は、時刻取得部１２から取得した時刻データによって、目的地に到着してから一定時間以上経過したことが示されているかどうかを調べる。このステップＳＴ１８において、一定時間が経過していないことが判断されると、このステップＳＴ１６、ＳＴ１８を繰り返し実行しながら一定時間が経過するまで待機する。このステップＳＴ１６、ＳＴ１８の繰り返し実行による待機状態において、電源オン状態で一定時間が経過したことが判断されると、シーケンスはステップＳＴ１９に進む。以上の処理、つまり電源オン状態で一定時間が経過したことにより、評価情報作成部２２は、ユーザが目的地として設定した施設を利用したと判断する。
【００４０】
ステップＳＴ１９においては、評価情報を追加する処理が行われる。すなわち、評価情報作成部２２は、例えば図５（ａ）に示すような、施設の評価値を１０段階で入力するアンケート画面を表示部１４に表示する。ユーザがこのアンケート画面を用いて評価値を入力して「ＯＫ」ボタンを押すと、その値がランキング情報の評価値として評価情報に設定される。一方、ユーザが「断る」ボタンを押すと、評価値の設定は行われない。次いで、評価情報作成部２２は、例えば図５（ｂ）に示すような、施設に関するコメントを入力するアンケート画面を表示部１４に表示する。ユーザがこのアンケート画面を用いてコメントを入力して「ＯＫ」ボタンを押すと、そのコメントが付加情報のコメントとして評価情報に設定される。一方、ユーザが「断る」ボタンを押した場合は、コメントの設定は行われない。
【００４１】
その後、シーケンスはステップＳＴ２０に進み、ステップＳＴ１４で作成された施設ＩＤおよび付加情報としての到着時刻に、ステップＳＴ１９で追加されたランキング情報としての評価値および付加情報としてのコメントが追加され、評価情報として通信部１６を介してサーバ２に送信される。その後、評価情報送信処理は終了する。
【００４２】
以上のように、評価情報送信処理では、移動体端末１が、ある施設を目的地として設定して移動し、その目的地に到着した場合に、評価値を評価情報としてサーバ２に送信する。したがって、ある施設に対する評価を行うためには、実際にその施設まで移動することが必要になるため、作為的な評価情報がサーバ２に収集される可能性は減少する。その結果、実際にその施設を利用した上での評価情報が相対的に多くなることが期待されるので、移動体端末１は、より信頼性の高い情報を得ることが可能となる。
【００４３】
また、図４に示す評価情報送信処理における「施設評価設定」がオフのときには、評価値およびコメントは得られないものの到着数を得ることは可能であり、目的地に設定した施設に到着さえすればユーザ操作が不要であるため、ユーザに煩わしさを与えることなく、人気の度合いを推量するための情報が得られるというメリットがある。
【００４４】
なお、移動体端末１とサーバ２との間で、あらかじめ「値がない」ことを示す値を定義しておき、上記のように施設評価設定がオフの場合や、アンケート画面で情報の入力を行わない状態で確定操作を行った場合、または、情報の入力を拒否する操作を行った場合には、評価情報における該当項目にその値を設定しておく（例えば、評価値を入力する画面でこれらの操作を行えば、評価情報における評価値の項目に文字列“値がない”を設定するなど）ように構成できる。この構成によれば、サーバ２は、評価情報を正しく処理できる。
【００４５】
次に、サーバ２が移動体端末１から提供された情報を処理して施設データベース３２で管理する動作を、図６に示す評価情報受信処理のフローチャートを参照しながら説明する。
【００４６】
評価情報受信処理では、まず、評価情報が受信されたかどうかが調べられる（ステップＳＴ２１）。すなわち、情報処理部３４の内部の評価情報処理部４１は、移動体端末１から通信部３３を介して評価情報を受信したかどうかを調べる。このステップＳＴ２１において、評価情報を受信していないことが判断されると、このステップＳＴ２１を繰り返し実行しながら、評価情報が受信されるまで待機する。
【００４７】
このステップＳＴ２１の繰り返し実行による待機状態において、評価情報が受信されたことが判断されると、次いで、到着数、到着時刻および受信時刻が更新される（ステップＳＴ２２）。すなわち、評価情報処理部４１は、移動体端末１から受信した評価情報に含まれる施設ＩＤに一致する施設データベース３２中の施設情報のうち、ランキング情報の中の到着数をインクリメント（＋１）するとともに、受信した評価情報に含まれる到着時刻を付加情報中の到着時刻情報欄に格納し、さらに、時刻取得部３１から取得した現在時刻を付加情報中の受信時刻情報欄に格納する。
【００４８】
次いで、評価情報の評価値に値があるかどうかが調べられる（ステップＳＴ２３）。すなわち、情報処理部３４の内部の評価情報処理部４１は、移動体端末１から通信部３３を介して受信した評価情報に、値がある評価値が含まれるかどうかを調べる。このステップＳＴ２３において、評価情報の評価値に値があることが判断されると、次いで、有効回答数、評価値総和および評価値平均が更新される（ステップＳＴ２４）。すなわち、評価情報処理部４１は、移動体端末１から受信した評価情報に含まれる施設ＩＤに一致する施設データベース３２中の施設情報のうち、ランキング情報の中の有効回答数をインクリメント（＋１）するとともに、受信した評価情報に含まれる評価値を評価値総和欄の値に加算し、さらに、評価値総和を有効回答数で除することにより評価値の平均値を算出して評価値平均欄に格納する。上記ステップＳＴ２３において、評価情報の評価値に値がないことが判断されると、それを無効回答として扱い、評価値の平均が正しく得られるようにするために、ステップＳＴ２４の処理はスキップされる。
【００４９】
次いで、評価情報のコメントに値があるかどうかが調べられる（ステップＳＴ２５）。すなわち、情報処理部３４の内部の評価情報処理部４１は、移動体端末１から通信部３３を介して受信した評価情報に、値があるコメントが含まれるかどうかを調べる。このステップＳＴ２５において、評価情報のコメントに値があることが判断されると、次いで、コメントが更新される（ステップＳＴ２６）。すなわち、評価情報処理部４１は、移動体端末１から受信した評価情報に含まれる施設ＩＤに一致する施設データベース３２中の施設情報のうち、受信した評価情報に含まれるコメントを、付加情報のコメント欄に格納する。この場合、コメントを単純に追加したり、有用な情報のみまとめる処理を行ったりするように構成できる。その後、評価情報受信処理は終了する。上記ステップＳＴ２５において、評価情報のコメントに値がないことが判断されると、評価情報受信処理は終了する。
【００５０】
次に、サーバ２に収集された情報を移動体端末１が使用する動作について説明する。この動作は、移動体端末１がサーバ２に施設情報を要求し、この要求に応答してサーバ２が移動体端末１に施設情報を提供し、移動体端末１がサーバ２から提供された情報を使用するという手順で行われる。
【００５１】
移動体端末１がサーバ２に施設情報を要求し、この要求に応答してサーバ２が移動体端末１に施設情報を提供する動作は、次の幾つかのケースで行うことができる。
（１）移動体端末１が施設ＩＤを指定してサーバ２に施設情報を要求し、サーバ２がその施設ＩＤに対応した施設情報を移動体端末１に返す。この場合、サーバ２から移動体端末１に送信される施設情報は、例えば図７に示すように、施設ＩＤ、ランキング情報（到着数、評価値平均）および付加情報（到着時刻情報、受信時刻情報、コメント）から構成することができる。
（２）移動体端末１が位置情報、地域ＩＤ、施設ジャンルＩＤ等を指定してサーバ２に施設情報を要求し、サーバ２は、指定の条件に合う施設をピックアップして施設情報を移動体端末１に返す。
（３）移動体端末１が位置情報のみ指定してサーバ２に施設情報を要求し、位置情報に対応する地域において特に到着数の割合の高い（人気の高い）施設ジャンルＩＤをサーバ２が返す。この場合、サーバ２は、図８に示すような、地域ＩＤに対する施設ジャンルＩＤの到着数の割合を記憶したデータベースを保持しておき、指定地域において（全国平均と比較して）到着数の割合の高い施設ジャンルＩＤを移動体端末１に通知する。これにより、移動体端末１は、現在いる地域で何が人気であるかといった情報を得ることができる。
（４）移動体端末１が施設ジャンルＩＤのみ指定してサーバ２に施設情報を要求し、地域内においてその施設ジャンルＩＤの到着数の割合が特に高いような地域ＩＤをサーバ２が移動体端末１に返す。この場合、図８に示すデータベースを用いて、指定ジャンルの到着数の割合を各地域で比較し、割合の高い地域を移動体端末１に通知する。これにより、例えばラーメンが食べたいときにラーメンの人気の高い地域の情報を得ることができる。
【００５２】
移動体端末１は、サーバ２から提供された施設情報を表示部１４に表示する。図９は、施設情報を施設リストとして表示した例を示す図である。すなわち、移動体端末１の施設情報処理部２４は、サーバ２から提供された施設情報に基づき、施設名称、到着数および評価値平均をリスト形式で表示部１４に表示させる。「評価値順」のボタンを押すことにより、評価値平均の順番で並び替えて評価させることができ、「到着数順」のボタンを押すことにより、到着数の順に並び替えて評価させることもできる。
【００５３】
また、移動体端末１の施設情報処理部２４は、到着時刻情報を用いることによって施設に関する参考情報を提供する。図１０は、参考情報の画面例を示す図である。図１０（ａ）は、参考情報として到着時刻分布を表示させた例を示す図である。到着時刻分布は、当該施設の混雑時間帯または営業時間帯等を推量することができ有用である。
【００５４】
図１０（ｂ）は、参考情報として到着月分布（過去５年）を表示させた例を示す図である。到着月分布によれば、季節ごとの人気の動向を推量することが可能となる。図１０（ｃ）は、到着曜日分布を表示させた例であり、曜日ごとの人気の違いを推量することが可能となる。図１０（ｄ）は、到着数分布（過去１年）、図１０（ｅ）は、到着数分布（過去１ヶ月）を表示させた例であり、最近の人気の動向を推量することが可能となる。
【００５５】
なお、図１０に示したグラフは、表示対象期間と表示単位（図１０のグラフ横軸部分。年単位、月単位、日単位、時刻単位、曜日単位など）を任意に設定して表示させることができる。また、到着時刻情報と受信時刻情報を併せて用いることによって、施設の利用時間を推測するための情報を提供することも可能である。なお、サーバ２が施設データベース３２に格納されている到着時刻情報、受信時刻情報を用いて上記に挙げるような情報を作成し、移動体端末１に配信するか、サーバ２が施設データベース３２に格納されている到着時刻情報、受信時刻情報をそのまま移動体端末１に配信し、移動体端末１で表示すべき情報を作成するかは任意である。
【００５６】
以上説明したように、この発明の実施の形態１に係る施設検索システムによれば、施設の人気の度合いを示すランキング情報として「移動体端末がある施設を目的地とし、到着したこと」をも考慮するように構成したので、より信頼性のあるランキング情報を得ることを可能となっている。
【００５７】
また、付加情報として「移動体端末が施設へ到着した年月日、時刻情報」を考慮することによって、到着月分布、到着日分布、到着時刻分布などの参考情報を提供することができる。施設情報には、通常、位置情報や施設ジャンル種別の情報が含まれる。さらに、この情報を用いることによって、現在位置の地域において、どのジャンルの施設が他地域と比べてより好まれているか、などの情報も提供することができる。また、評価情報を移動体端末１からサーバ２に通知する場合に、特別なユーザ操作を必要とせず、ユーザに煩わしさを与えることもない。
【図面の簡単な説明】
【００５８】
【図１】この発明の実施の形態１に係る施設検索システムの構成を示すブロック図である。
【図２】この発明の実施の形態１に係る施設検索システムにおいて、移動体端末からサーバに送信される評価情報の構成を示す図である。
【図３】この発明の実施の形態１に係る施設検索システムを構成するサーバに備えられた施設データベースに格納される施設情報の構成を示す図である。
【図４】この発明の実施の形態１に係る施設検索システムにおいて、移動体端末がサーバに施設に関する情報を提供する評価情報送信処理を示すフローチャートである。
【図５】この発明の実施の形態１に係る施設検索システムを構成する移動体端末において評価情報を入力する際に使用されるアンケート画面の例を示す図である。
【図６】この発明の実施の形態１に係る施設検索システムにおいて、サーバから移動体端末に施設情報を提供する評価情報受信処理を示すフローチャートである。
【図７】この発明の実施の形態１に係る施設検索システムにおいて、サーバから移動体端末に送信される施設情報の構成を示す図である。
【図８】この発明の実施の形態１に係る施設検索システムにおいて、サーバに用意されるデータベースの構成を示す図である。
【図９】この発明の実施の形態１に係る施設検索システムを構成する移動体端末において施設情報を施設リストとして表示した例を示す図である。
【図１０】この発明の実施の形態１に係る施設検索システムを構成する移動体端末において参考情報の画面例を示す図である。
【符号の説明】
【００５９】
１  移動体端末、２  サーバ、１１  位置検出部、１２  時刻取得部、１３  操作部、１４  表示部、１５  情報記憶部、１６  通信部、１７  情報処理部、２１  到着判定部、２２  評価情報作成部、２３  施設情報要求作成部、２４  施設情報処理部、３１  時刻取得部、３２  施設データベース、３３  通信部、３４  情報処理部、４１  評価情報処理部、４２  施設情報要求処理部、４３  施設情報作成部。
【図１】
2007334505.tif 000003
【図２】
2007334505.tif 000004
【図３】
2007334505.tif 000005
【図４】
2007334505.tif 000006
【図５】
2007334505.tif 000007
【図６】
2007334505.tif 000008
【図７】
2007334505.tif 000009
【図８】
2007334505.tif 000010
【図９】
2007334505.tif 000011
【図１０】
2007334505.tif 000012